(57)【要約】【課題】渡り線の取り付け及び取り外しが容易であると共に、渡り線への損傷を少なくして渡り線の再利用を可能ならしめる接続端子を提供する。【解決手段】変電設備同士又は変電設備と架線とを接続する渡り線Ｘを、該変電設備に接続するための接続端子１は、変電設備の端子に連結される連結部３と、連結部３から延設して設けられ、渡り線Ｘを着脱自在に挟持する挟持部４とを備える。挟持部４は、渡り線Ｘが嵌合可能な溝部４３を有する第１挟持片４１と、溝部４３と対向する位置に渡り線Ｘを受ける線受部４５を有すると共に、溝部４３と線受部４５との間に渡り線Ｘを挟持させるように、第１挟持片４１に連結される第２挟持片４２とを備える。【選択図】図１
2013030419.tif 000002
【特許請求の範囲】
【請求項１】
変電設備同士又は変電設備と架線とを接続する渡り線を、該変電設備に接続するための接続端子であって、
前記変電設備の端子に連結される連結部と、
前記連結部から延長して設けられ、前記渡り線を着脱自在に挟持する挟持部とを備え、
前記挟持部は、前記渡り線が嵌合可能な溝部を有する第１挟持片と、該溝部と対向する位置に該渡り線を受ける線受部を有すると共に、該溝部と該線受部との間に該渡り線を挟持させるように該第１挟持片に連結される第２挟持片とを備えて構成されることを特徴とする接続端子。
【請求項２】
変電設備同士又は変電設備と架線とを接続する渡り線を分岐させる接続端子であって、
前記渡り線を着脱自在に挟持する挟持部を複数備え、
前記挟持部は、前記渡り線が嵌合可能な溝部を有する第１挟持片と、該溝部と対向する位置に該渡り線を受ける線受部を有すると共に、該溝部と該線受部との間に該渡り線を挟持させるように、該第１挟持片に連結される第２挟持片とを備えて構成されることを特徴とする接続端子。
【請求項３】
請求項１又は２記載の接続端子において、
前記第２挟持片は、一端側で前記第１挟持片に軸着されて他端側が開閉自在に構成されると共に、他端側に前記第１挟持片に係合する係合部を有して、該第１挟持片に係合して保持されることを特徴とする接続端子。
【請求項４】
請求項３記載の接続端子において、
前記線受部は、前記渡り線を前記溝部に圧接する凸部又は該渡り線を受ける凹部であることを特徴とする接続端子。
【請求項５】
請求項３又は４記載の接続端子において、
前記溝部は、その線路が湾曲していることを特徴とする接続端子。
【発明の詳細な説明】
【技術分野】
【０００１】
本発明は、変電設備同士又は変電設備と架線とを接続する渡り線を、該変電設備に接続するための接続端子に関する。
【背景技術】
【０００２】
従来、この種の接続端子としては、厚板状で変電設備の端子座の貫通孔に合わせて穿設された貫通孔を有する連結部と、円筒状で内部に渡り線が挿入される挿入部とを備えてなるものが知られている（特許文献１参照）。かかる接続端子によれば、渡り線の端部を挿入部に挿入した後、圧縮固定装置で挿入部を外周から締め込んで挿入部に渡り線を固着する。そして、渡り線を取り付けた接続端子を変電設備の端子座に合致させて、それぞれの貫通孔にボルトを挿通させてナットで締結し、渡り線と変電設備とを接続する。
【０００３】
ここで、接続端子は、変電設備の交換に伴ってその端子形状に合わせた接続端子に交換する必要が生じるほか、長期間の使用によりその接触部分が剥離等して接触不良となる可能性があるため、一定の期間を隔てて端子自体を交換する必要がある。
【０００４】
従来の接続端子は、接続端子と渡り線とは挿入部で圧縮固定されていることから、接続端子を交換するためには、（Ａ）渡り線を接続端子に隣接する位置で切断して、渡り線の端部に新たな接続端子を圧縮固定するか、または、（Ｂ）挿入部を挿入方向に沿って縦割りに切断して、渡り線を接続端子から取り出し、渡り線を切断することなく新たな接続端子を圧縮固定する必要がある。
【先行技術文献】
【特許文献】
【０００５】
【特許文献１】特開２０００−５９９２４号公報
【発明の概要】
【発明が解決しようとする課題】
【０００６】
しかしながら、上記（Ａ）の場合には、渡り線を切断する分だけ、渡り線が短くなってしまう。そのため、その切断分を補うことができない場合には、結果として接続端子だけでなく、渡り線まで新しく交換しなければならないという不都合が生じる。
【０００７】
一方、上記（Ｂ）の場合には、まず、挿入部自体を縦割りに切断しなければならず、接続端子の交換作業における作業負担が増大する。また、挿入部を容易に縦割りにできるように切れ込みを設ける構成とすることも考えられるが、挿入部における渡り線の固着力が低下してしまう恐れがある。さらに、一度、圧縮固定された渡り線の端部は、外部からは視認できない傷等により、そのまま使用すると使用中に問題が生じ得ることも懸念される。
【０００８】
さらに、上記（Ａ），（Ｂ）いずれの場合にも、渡り線を接続端子に接続するためには圧縮固定装置が必要であるため、接続作業は大掛かりで熟練した技能が必要となる。特に、渡り線の端部が地上まで届かない場合には、渡り線の端部位置まで、圧縮固定装置をリフトアップしなければならず煩雑である。また、一度、圧縮固定された接続端子は、その変形により再利用することができず廃棄物となってしまう。
【０００９】
そこで、本発明は、渡り線の取り付け及び取り外しが容易であると共に、渡り線への損傷を少なくして渡り線の再利用を可能ならしめる接続端子を提供することを目的とする。
【課題を解決するための手段】
【００１０】
本発明の第１の態様は、変電設備同士又は変電設備と架線とを接続する渡り線を、該変電設備に接続するための接続端子であって、前記変電設備の端子に連結される連結部と、前記連結部から延長して設けられ、前記渡り線を着脱自在に挟持する挟持部とを備え、前記挟持部は、前記渡り線が嵌合可能な溝部を有する第１挟持片と、該溝部と対向する位置に該渡り線を受ける線受部を有すると共に、該溝部と該線受部との間に該渡り線を挟持させるように該第１挟持片に連結される第２挟持片とを備えて構成されることを特徴とする。
【００１１】
かかる第１の態様によれば、渡り線は、挟持部を構成する第１挟持片の溝部に嵌合されると共に、第２挟持片の線受部によって当接されて、第１及び第２挟持片の間に挟持された状態に保持される。一方、接続端子から渡り線を取り外す際には、第１及び第２挟持片の間の連結を解くことにより、渡り線は、第２挟持片による当接が無くなり、溝部から容易に取り外すことができる。
【００１２】
このように、第１の態様によれば、圧縮固定装置で渡り線を挿入した部分を圧縮固定等する必要がなく、渡り線を容易に取り付け又は取り外すことができると共に、渡り線への損傷を少なくして渡り線の再利用を可能ならしめることができる。
【００１３】
本発明の第２の態様は、変電設備同士又は変電設備と架線とを接続する渡り線を分岐させる接続端子であって、前記渡り線を着脱自在に挟持する挟持部を複数備え、前記挟持部は、前記渡り線が嵌合可能な溝部を有する第１挟持片と、該溝部と対向する位置に該渡り線を受ける線受部を有すると共に、該溝部と該線受部との間に該渡り線を挟持させるように、該第１挟持片に連結される第２挟持片とを備えて構成されることを特徴とする。
【００１４】
かかる第２の態様によれば、前記第１の態様と同様の挟持部を複数備えて、渡り線を分岐させることができる。そのため、挟持部に接続される渡り線は、前記第１の態様と同様、圧縮固定装置で渡り線を挿入した部分を圧縮固定等する必要がなく、容易に取り付け又は取り外すことができると共に、損傷を少なくして再利用をすることもできる。
【００１５】
前記第２挟持片は、一端側で前記第１挟持片に軸着されて他端側が開閉自在に構成されると共に、他端側に前記第１挟持片に係合する係合部を有して、該第１挟持片に係合して保持されることが好ましい。かかる構成の第２挟持片によれば、係合により、第１及び第２挟持片との連結をより確実なものとすることができると共に、係合を解くことで容易に渡り線を接続端子から取り外すことができる。また、第２挟持片は、第１挟持片に軸着されて一体となっているため、第１及び第２挟持片の組み合わせを意識しないで、接続端子の取り付け作業を簡便に行うことができる。
【００１６】
前記線受部は、前記渡り線を前記溝部に圧接する凸部又は該渡り線を受ける凹部であることが好ましい。これにより、溝部に嵌合した渡り線を溝部と対向する位置から当接して保持する構成を簡易に実現することができる。特に、線受部を凸部とすることで、渡り線を溝部側に押し込むことができ、渡り線をより確実に挟持することができる。
【００１７】
前記溝部は、その線路が湾曲していることが好ましい。これにより、渡り線の張力が大きい場合にも渡り線が溝部から脱落することを防止することができ、溝部をストレートに構成した場合に比べて、渡り線より確実に挟持することができる。
【図面の簡単な説明】
【００１８】
【図１】第１実施形態の接続端子の斜視図。
【図２】図１の第１挟持片の詳細図。
【図３】第１挟持片と第２挟持片との関係を示す説明的断面図。
【図４】図１の接続端子の使用状態を示す図。
【図５】第２実施形態の接続端子の斜視図。
【発明を実施するための形態】
【００１９】
図１に示すように、第１の態様における接続端子は、例えば変電設備同士又は変電設備と架線とを接続する渡り線Ｘを、該変電設備に接続するための接続端子１である。
【００２０】
接続端子１は、アルミ製の剛体であって、変電設備の端子である端子座Ｙ（図４参照）に連結される連結部３と、連結部３の一端側に延設して設けられて、渡り線Ｘを挟持する挟持部４とを備える。
【００２１】
連結部３は、厚板状の端子座Ｙの貫通孔（図示省略）に対応した一又は複数の貫通孔３１を有する厚板状の部材である。貫通孔３１は、ボルト等の螺子具が挿通可能な所定の直径となっている。
【００２２】
挟持部４は、連結部３から垂直に立ち上がった厚板状の第１挟持片４１と、第１挟持片４１に連結された第２挟持片４２とを備える。第１挟持片４１は、第２挟持片４２と対向する面に渡り線Ｘが嵌合可能な溝部４３と、他端側（連結部３側と反対側）の端部にフック部４４とを備える。一方、第２挟持片４２は、第１挟持片４１と対向する面に渡り線Ｘを受ける線受部４５と、他端側の端部にその一部が切り込まれた係合部４６とを備え、一端側（連結部３側）で第１挟持片４１の基底部にアルミ製の軸体４７で軸着されて他端側が開閉自在になっている。
【００２３】
図２（ａ）は、第１挟持片４１の第２挟持片４２側の側面図である。図２（ａ）に示すように、溝部４３は、その全長が途中で湾曲した形状となっており、溝部４３に嵌合した渡り線Ｘが溝部４３から脱落し難くなっている。また、図示は省略するが、溝部４３に対応した線受部４５はこれと対称な形状となっている。
【００２４】
フック部４４は、棒状の軸体の一端側にその側面から直径方向に突出した一対の突起部４４ａを有して、突起部４４ａを第１挟持片４１の一端側に開けられたＴ字形連結部に連結される。突起部４４ａとＴ字形連結部４４ｂとは、図２（ｂ）に第１挟持片４１の断面図で示すように、Ｔ字形連結部４４ｂの内壁上面に設けられた溝部４４ｃに突起部４４ａを嵌め込むことによって連結される。Ｔ字形連結部４４ｂに連結されたフック部４４は、突起部４４ａを中心に第１挟持片４１の他端側の位置を半回転する。
【００２５】
また、フック部４４の他端側には、ナット４４ｄが羅着される螺子溝４４ｅを有している。これにより、渡り線Ｘを第１挟持片４１と第２挟持片４２との間に挟持した状態で、フック部４４を第２挟持片４２側に反転させることにより、ナット４４ｃを係合部４６に係合させて、渡り線Ｘを挟持した状態に保持することができる。
【００２６】
図３は、第１挟持片４１と第２挟持片４２とが渡り線Ｘを挟持した状態を示す断面図である。図３（ａ）に示すように、第２挟持片４２の線受部４５は、例えば、第１挟持片４１の溝部４３からはみ出た渡り線Ｘを受ける凹部４５ａであってもよいが、渡り線Ｘをより強靭に挟持させるためには、図３（ｂ）に示すように、溝部４３に嵌合した渡り線Ｘを溝部４３側に圧接する凸部４５ｂとして、溝部４３及び線受部４５を設計してもよい。尚、凹部４５ａ及び凸部４５ｂの渡り線Ｘと当接する部分は、渡り線Ｘの径方向の形状に対応したものとなっており、凹部４５ａ及び凸部４５ｂと渡り線Ｘとが面接触するようになっている。
【００２７】
次に、本実施形態の接続端子１の使用方法について説明する。
【００２８】
まず、渡り線Ｘを変電設備に接続する作業を行う作業者は、図１に示すように、第１挟持片４１のフック部４４を第２挟持片４２の係合部４６から取り外して、第２挟持片４２を第１挟持片４１に対して開いた状態とする。
【００２９】
この状態で、接続する渡り線Ｘを第１挟持片４１の溝部４３に沿って這わせて、渡り線Ｘを溝部４３に嵌合させる。次いで、第２挟持片４２を第１挟持片４１に対して閉じる。このとき、渡り線Ｘは、第２挟持片４２側から線受部４５が当接して、第１挟持片４１と第２挟持片４２との間に挟持される。
【００３０】
そして、図４に示すように、この状態でフック部４４を係合部４６に係合させる。このとき、フック部４４のナット４４ｄを締めることにより、第２挟持片４２が第１挟持片４１に対して不用意に開くことを防止することができると共に、第１挟持片４１と第２挟持片４２との間に挟持した渡り線Ｘを確実かつ持続的に挟持させておくことができる。
【００３１】
このようにして、渡り線Ｘが接続端子１に接続されると、作業者は、渡り線Ｘが接続されるべき変電設備の接続端子である端子座Ｙに接続端子１の連結部３を載置して、端子座Ｙの貫通孔（図示省略）に連結部３の貫通孔３１を合わせ、それぞれの貫通孔を通るようにボルトＺを挿通させる。そして、それぞれの貫通孔に挿通させたボルトＺをナットＷで締め上げて端子座Ｙに接続端子１を固着する。
【００３２】
一方、接続端子１を交換する場合等、接続端子１から渡り線１を取り外す際には、フック部４４のナット４４ｄを緩めて、フック部４４の第２挟持片４２の係合部４６への係合を解く。そして、第２挟持片４２を第１挟持片４１に対して開き、第１挟持片４１の溝部４３に嵌合している渡り線Ｘを溝部４３から簡単に取り外すことができる。このとき、第１挟持片４１と第２挟持片４２との間に挟持されていた渡り線Ｘは、溝部４３と線受部４５によって当接されていたに過ぎず、渡り線Ｘの損傷を少なくして、渡り線Ｘの再利用を可能ならしめることができる。
【００３３】
尚、線受部４５が図３（ｂ）に示すように凸部４５ｂにより形成され、渡り線Ｘが凸部４５ｂによって溝部４３側に圧接されている場合であっても、圧縮固定装置等による圧縮レベルに比べて圧迫の度合いが低く、渡り線Ｘへの損傷を少なくすることができる。
【００３４】
また、渡り線Ｘをより強靭に挟持させるためには、線受部４５を凸部４５ｂにより形成することに加えて、溝部４３や軸受部４５の表面に凹凸を設けるようにしてもよい。これにより、渡り線Ｘは、溝部４３や軸受部４５の表面に凹凸に捕らえられてより強靭に挟持され、渡り線Ｘの張力が大きい（テンションが高い）場合にも、接続端子１を使用することができる。
【００３５】
次に、図５に示すように、第２の実施形態の接続端子は、例えば、変電設備同士又は変電設備と架線とを接続する渡り線を分岐させる接続端子２である。
【００３６】
接続端子２は、第１の形態の接続端子１において、連結部３の代わりに新たな挟持部５を備える。挟持部４と挟持部５とは、いずれも同一の構成要素からなる第１挟持片４１と第２挟持片４２とを備え、それぞれ第１挟持片４１が互いに垂直に立ち上がるように、それぞれの基底部が繋がって一体に形成されている。
【００３７】
かかる第２の態様の接続端子２によれば、前記第１の態様と同様の挟持部４，５を複数備えることにより、１つの渡り線Ｘ１を分岐させることができ、渡り線Ｘ１を変電設備に接続されることができるだけでなく、分岐させた渡り線Ｘ２を他の変電設備等に接続することができる。
【００３８】
そして、挟持部４，５に挟持された渡り線Ｘは、前記第１の態様と同様、圧縮固定装置で渡り線Ｘ１，Ｘ２を挿入した部分を圧縮固定等する必要がなく、容易に取り付け又は取り外すことができると共に、渡り線Ｘ１，Ｘ２の損傷を少なくして再利用をすることもできる。
【符号の説明】
【００３９】
１，２…接続端子、３…連結部、４，５…挟持部、３１…貫通孔、４１…第１挟持片、４２…第２挟持片、４３…溝部、４４…フック部、４４ａ…突起部、４４ｂ…Ｔ字形係合部、４４ｃ…溝部、４４ｄ…ナット、４４ｅ…螺子溝、４５…線受部、４６…係合部、４７…軸体、Ｘ…渡り線、Ｙ…端子座、Ｚ…ボルト、Ｗ…ナット。
【図１】
2013030419.tif 000003
【図２】
2013030419.tif 000004
【図３】
2013030419.tif 000005
【図４】
2013030419.tif 000006
【図５】
2013030419.tif 000007